(57)【要約】      （修正有）【課題】洗面化粧室又は浴室の部屋割構造とその開閉扉の構造及びその位置を改良することにより、親の見ていない隙に、小さな子供が、洗面化粧室又は浴室内に侵入しないようにすることができる住宅又は集合住宅の部屋構造を提供する。【解決手段】洗面化粧室２と浴室３とが連続し、洗面化粧室２と洗面化粧室に隣接する一方の部屋空間とは開き扉５よりなる一方の開閉扉を介して仕切られており、また、洗面化粧室２と洗面化粧室に隣接する他方の部屋空間とは引き戸７よりなる他方の開閉扉を介して仕切られており、浴室３は洗面化粧室２を通って出入する住宅又は集合住宅の部屋構造において、一方及び他方の開閉扉の表裏面の側部の上下方向中間部には、開閉用レバーハンドル又は開閉用把手などの開閉用手掛が設けられ、開閉用手掛の上方位置には、一方及び他方の開閉扉の表裏面側からロック又はアンロック操作可能としたサムターンによるロック手段が設けられている。【選択図】図１
0003201707.tif 000002
【実用新案登録請求の範囲】
【請求項１】
洗面化粧室と浴室とが連続し、洗面化粧室と該洗面化粧室に隣接する一方の部屋空間とは開き扉又は引き戸よりなる一方の開閉扉を介して仕切られており、また、洗面化粧室と該洗面化粧室に隣接する他方の部屋空間とは引き戸又は開き扉よりなる他方の開閉扉を介して仕切られており、浴室は洗面化粧室を通って出入する住宅又は集合住宅の部屋構造において、
前記一方及び他方の開閉扉の表裏面の側部の上下方向中間部には、開閉用レバーハンドル又は開閉用把手などの開閉用手掛が設けられ、開閉用手掛の上方位置には、一方及び他方の開閉扉の表裏面側からロック又はアンロック操作可能としたサムターンによるロック手段が設けられていることを特徴とする住宅又は集合住宅の部屋構造。
【請求項２】
洗面化粧室と浴室とが連続し、洗面化粧室と該洗面化粧室に隣接する部屋空間とは開き扉又は引き戸よりなる開閉扉を介して仕切られており、浴室は洗面化粧室を通って出入する住宅又は集合住宅の部屋構造において、
前記開閉扉の表裏面の側部の上下方向中間部には、開閉用レバーハンドル又は開閉用把手などの開閉用手掛が設けられ、開閉用手掛の上方位置には、開閉扉の表裏面側からロック又はアンロック操作可能としたサムターンによるロック手段が設けられていることを特徴とする住宅又は集合住宅の部屋構造。
【請求項３】
前記洗面化粧室内には洗濯機置場が設けられていることを特徴とする請求項１又は２に記載の住宅又は集合住宅の部屋構造。
【請求項４】
前記ロック手段は、前記開閉扉の下端から略１，６００ｍｍ以上の高さ位置に設けられていることを特徴とする請求項１乃至３のいずれか１項に記載の住宅又は集合住宅の部屋構造。
【考案の詳細な説明】
【技術分野】
【０００１】
本考案は、主として、４ＬＤＫ，３ＬＤＫ又は２ＬＤＫなど、子供のいる家族向けのマンションタイプの集合住宅の部屋構造に関する。本考案は、規格建築される戸建て住宅の部屋構造にも適応可能である。
【背景技術】
【０００２】
下記特許文献１又は２に示されるように、マンションタイプの集合住宅の居住空間には、一般的に、玄関、廊下、居室、リビング・ダイニング室、キッチン室の他、洗面化粧室及び浴室が設けられている。また、洗面化粧室の内部には洗濯機置場が設けられる。
洗面化粧室には通常開閉扉がなく、また、浴室には開閉扉があっても、子供が一人で開閉できる構造が一般的であり、大人が使用しない時には、開けっ放しにすることも多い。
【０００３】
最近、住宅内のドラム式の洗濯乾燥機の中に男の子が閉じ込められ、死亡していたという痛ましい事故が報道されている。また、親の知らない間に、幼児が浴室内に移動し、浴槽内のお湯又は水の中で溺れたという事故も報道されている。
このように、住宅又は集合住宅の洗面化粧室又はこれに続く浴室は、洗濯機や浴槽など、小さな子供にとって思わぬ事故や怪我を起こし易い場所であるということができる。
【先行技術文献】
【特許文献】
【０００４】
【特許文献１】特開２０１５−１５８１０８号公報
【特許文献２】特開２００６−２００２０７号公報
【考案の概要】
【考案が解決しようとする課題】
【０００５】
本考案は、上記の点に鑑み、洗面化粧室又は浴室の部屋割構造とその開閉扉の構造及びその位置を改良することにより、親の見ていない隙に、小さな子供が、洗面化粧室又は浴室内に侵入しないようにしたことを目的としている。
【課題を解決するための手段】
【０００６】
前記目的を達成するための手段を、図の実施形態を参照して説明する。
請求項１に係る本考案の住宅又は集合住宅の部屋構造を、図１乃至図３の実施形態１を参照して説明する。
請求項１に係る本考案は、洗面化粧室２と浴室３とが連続し、洗面化粧室２と該洗面化粧室に隣接する一方の部屋空間（廊下４）とは開き扉５よりなる一方の開閉扉を介して仕切られており、また、洗面化粧室２と該洗面化粧室に隣接する他方の部屋空間（キッチン室６）とは引き戸７よりなる他方の開閉扉を介して仕切られており、浴室３は洗面化粧室２を通って出入する住宅又は集合住宅の部屋構造において、
前記一方及び他方の開閉扉の表裏面の側部の上下方向中間部には、開閉用レバーハンドル８又は開閉用把手９などの開閉用手掛が設けられ、開閉用手掛の上方位置には、一方及び他方の開閉扉の表裏面側からロック又はアンロック操作可能としたサムターン１０によるロック手段が設けられていることを特徴とする住宅又は集合住宅の部屋構造にある。
【０００７】
上記請求項１の部屋構造では、小さな子供が洗面化粧室２又は浴室３に入らないように、閉鎖状態とした開き扉５及び引き戸７を、洗面化粧室２の外部又は内部から、サムターン９を開（ＯＰＥＮ）位置から閉（ＣＬＯＳＥ）位置にしてロック操作させればよい。
サムターン９は、上記開閉用手掛の上方位置（請求項４では、開閉扉の下端から略１，６００ｍｍの位置）に設けられていることから、小さな子供が容易にアンロック操作して、洗面化粧室２又は浴室３に入ることがない。
従って、仮に、洗面化粧室２内の洗濯機置場１１（請求項３）に洗濯機（回転ドラム式の洗濯乾燥機等）が設置され、又は、浴室３の浴槽１２内に水又はお湯が張られており、その他小さな子供にとって、危険な環境とされていたとしても、これが、上記報道されているような事故につながることがなく、安全性が確保される。
【０００８】
上記請求項１の構造において、開閉扉を構成する、開き扉５と引き戸７は、その設置位置が、上記と逆であってもよく、上記一方及び他方の開閉扉の双方が、開き扉５又は引き戸７であってもよい。
【０００９】
請求項２に係る本考案の住宅又は集合住宅の部屋構造を、図４の実施形態２を参照して説明する。
請求項２に係る本考案は、洗面化粧室２と浴室３とが連続し、洗面化粧室２と該洗面化粧室に隣接する部屋空間（キッチン室６）とは開き扉又は引き戸７よりなる開閉扉を介して仕切られており、浴室３は洗面化粧室２を通って出入する住宅又は集合住宅の部屋構造において、
前記開閉扉の表裏面の側部の上下方向中間部には、開閉用レバーハンドル又は開閉用把手９などの開閉用手掛が設けられ、開閉用手掛の上方位置には、開閉扉の表裏面側からロック又はアンロック操作可能としたサムターン１０によるロック手段が設けられていることを特徴とする住宅又は集合住宅の部屋構造にある。
【００１０】
上記請求項２の部屋構造では、洗面化粧室２の一箇所の開閉扉としての引き戸７のサムターン１０を閉（ＣＬＯＳＥ）位置にしてロック操作させればよいのに対し、上記請求項１の部屋構造では、洗面化粧室２の二箇所の開閉扉としての開き扉５と引き戸７のサムターン１０を閉（ＣＬＯＳＥ）位置にしてロック操作させる。
【００１１】
上記請求項２の構造において、開閉扉を構成する引き戸７は、開き扉により構成されていてもよい。
【考案の効果】
【００１２】
本考案の部屋構造では、閉鎖状態とした開閉扉を、洗面化粧室の外部又は内部からロック手段としてのサムターンをロック操作させるだけの簡単な操作で、小さな子供が洗面化粧室又は浴室に入らないようにすることができる。
従って、仮に、洗面化粧室内の洗濯機置場に洗濯機（回転ドラム式の洗濯乾燥機等）が設置され、又は、浴室の浴槽内に水又はお湯が張られており、その他物品装置の落下や、つまずきなど、小さな子供にとって危険な状態とされていたとしても、これが、報道されているような事故につながることがなく、安全性が確保される。
【００１３】
また、上記安全性が確保される本考案の部屋構造は、既存の部屋構造を大きく変更させることなく施工可能であって、費用的な負担も少なく、リフォームにより比較的簡単に実現させることが可能である。
【図面の簡単な説明】
【００１４】
【図１】本考案にかかる集合住宅の部屋構造の第１実施形態の平面図である。
【図２】本考案に使用する開閉扉としての開き扉の正面図である。
【図３】本考案に使用する開閉扉としての引き戸の正面図である。
【図４】本考案にかかる集合住宅の部屋構造の第２実施形態の平面図である。
【考案を実施するための形態】
【００１５】
以下、本考案を適用した実施の形態例を図１〜図４を参照して説明する。
（第１実施形態）
図１、図２、図３は、本考案の第１実施形態を示す。
図１は、本考案の第１実施形態に係るマンションの一独立居住区画となる住宅１の部屋構造を示している。この部屋構造は、矩形の平面形状を有し、左右両外壁の間に、この実施例では、３ＬＤＫタイプの部屋割を有している。
【００１６】
この、住宅１の部屋構造は、前後に対向して玄関１５とバルコニー１６を有し、バルコニー１６に面して、一側部には、洋室又は和室よりなる居室１７Ａ，１７Ｂ，１７Ｃが設けられ、他側部には、リビング・ダイニング室１８が設けられている。リビング・ダイニング室１８の内側の一側部には、玄関１５に連続して廊下４が設けられ、リビング・ダイニング室１８の内側の他側部外壁よりには、キッチン室６が設けられている。その他、住宅１内には、トイレ室など必要な部屋と家具又は建具等が設けられている。各室間は、開き扉又は引き戸、あるいはカーテンなどにより仕切られ、又は、仕切のない連続した空間とされている。
【００１７】
キッチン室６の内側には、洗面化粧室２と浴室３とが連続し、洗面化粧室２と該洗面化粧室に隣接する一方の部屋空間である廊下４とは、開き扉５よりなる一方の開閉扉を介して仕切られている。また、洗面化粧室２と該洗面化粧室に隣接する他方の部屋空間であるキッチン室６とは、引き戸７よりなる他方の開閉扉を介して仕切られており、浴室３は洗面化粧室２を通って出入するように連接されている。浴室３は洗面化粧室２の間は、開き扉又は引き戸により仕切られている。
【００１８】
図２に示すように、上記一方の開閉扉を構成する開き扉５の表裏面の側部の上下方向中間部には、開閉用手掛を構成する開閉用レバーハンドル８が設けられ、その上方位置には、開き扉５の表裏面側からロック又はアンロック操作可能としたサムターン１０によるロック手段が設けられている。
サムターン１０は、棒状レバーを水平方向とした閉（ＣＬＯＳＥ）位置で開き扉５の閉鎖位置がロックされ、棒状レバーを垂直方向とした開（ＰＰＥＮ）位置でアンロックされて、開き扉５の開閉が自由になる。
【００１９】
サムターン１０は、小さな子供が容易にとどかない上記レバーハンドル８の上方位置（開き扉５の下端から略１，６００ｍｍの位置）に設ければよい。
その他、開き扉５の高さ位置関係の標準寸法を、図２中に付記した。
【００２０】
図３に示すように、上記他方の開閉扉を構成する引き戸７の表裏面の側部の上下方向中間部には、開閉用手掛を構成する把手９が設けられ、その上方位置には、引き戸７の表裏面側からロック又はアンロック操作可能としたサムターン１０によるロック手段が設けられている。
【００２１】
サムターン１０の構成と作用は、上記開き扉に設けられたサムターンと同様である。
【００２２】
図２及び図３に拡大して示すように、サムターン１０の周囲壁面には、閉（ＣＬＯＳＥ）及び開（ＰＰＥＮ）の位置表示を付記することができる。
その他、引き戸７の高さ位置関係の標準寸法を、図３中に付記した。
【００２３】
上記第１実施形態の部屋構造では、小さな子供が洗面化粧室２又は浴室３に入らないように、閉鎖状態とした開き扉５及び引き戸７を、洗面化粧室２の外部又は内部から、サムターン９を開（ＯＰＥＮ）位置から閉（ＣＬＯＳＥ）位置にしてロック操作させればよい。
【００２４】
（第２実施形態）
図４は、本考案の第２実施形態を示す。この実施例では、２ＬＤＫタイプの部屋割を有している。
第２実施形態に係る部屋構造では、洗面化粧室２と浴室３とが連続し、洗面化粧室２と該洗面化粧室に隣接する部屋空間としてのキッチン室６とは引き戸７よりなる開閉扉を介して仕切られており、浴室３は洗面化粧室２を通って出入するようになっている。
【００２５】
第２実施形態の部屋構造では、洗面化粧室２の一箇所の開閉扉としての引き戸７のサムターン１０を閉（ＣＬＯＳＥ）位置にしてロック操作させればよい。
【００２６】
第２実施形態において、上記第１実施形態と共通する構成部分には、共通の符号を付して、その詳細な説明は省略した。
【符号の説明】
【００２７】
１  住宅
２  洗面化粧室
３  浴室
４  廊下（部屋空間）
５  開き扉（開閉扉）
６  キッチン室（部屋空間）
７  引き戸（開閉扉）
８  レバーハンドル（開閉用手掛）
９  把手
１０  サムターン（ロック手段）
１１  洗濯機置場
１２  浴槽
１５  玄関
１６  バルコニー
１７Ａ，１７Ｂ，１７Ｃ    居室
１８  リビング・ダイニング室
【図１】
0003201707.tif 000003
【図２】
0003201707.tif 000004
【図３】
0003201707.tif 000005
【図４】
0003201707.tif 000006